(57)【要約】【課題】複数種類の疾病名が混在する医用文書に対して同義語となるキーワードの組を正しく、かつ小さい処理負荷で抽出する同義語辞書作成装置を提供する。【解決手段】読影レポートからキーワードを取得するキーワード取得部１０４と、取得したキーワードと共起する疾病名を取得する共起疾病名取得部１０５と、取得したキーワードから一組のキーワード対を選択するキーワード対選択部１０６と、（ｉ）取得した疾病名の中から、キーワード対を構成する各キーワードと共起する疾病名を選択し、（ｉｉ）選択した疾病名からキーワード対を構成するキーワード間で共通する疾病名を抽出し、（ｉｉｉ）抽出した疾病名を含む読影レポートを、症例データベース１０１に記憶されている症例データの中から抽出する共通疾病名文書抽出部１０７と、抽出した読影レポートを用いて、キーワード対が同義語であるか否かを判定する同義語判定部１０８とを備える。【選択図】図１
2013109597.tif 000002
【特許請求の範囲】
【請求項１】
同義語であるキーワード対を含む医用同義語辞書を作成する医用同義語辞書作成装置であって、
医用画像と当該医用画像を読影した結果が記載された文書データである読影レポートとの組である症例データが記憶されている症例データベースから、読影レポートを取得する読影レポート取得部と、
医用画像の特徴を示す文字列からなる読影項目または医用画像の診断結果を示す文字列からなる疾病名であるキーワードが登録されているキーワード辞書データを参照して、前記読影レポート取得部が取得した読影レポートから前記キーワード辞書データに登録されているキーワードを取得するキーワード取得部と、
前記キーワード取得部が取得したキーワードと共起する疾病名を取得する共起疾病名取得部と、
前記キーワード取得部が取得したキーワードから一組のキーワード対を選択するキーワード対選択部と、
（ｉ）前記共起疾病名取得部が取得した疾病名の中から、前記キーワード対を構成する各キーワードと共起する疾病名を選択し、（ｉｉ）選択した疾病名から前記キーワード対を構成するキーワード間で共通する疾病名を抽出し、（ｉｉｉ）抽出した疾病名を含む読影レポートを、前記症例データベースに記憶されている症例データの中から抽出する共通疾病名文書抽出部と、
前記共通疾病名文書抽出部が抽出した読影レポートを用いて、前記キーワード対が同義語であるか否かを判定する同義語判定部と、
前記同義語判定部が同義語であると判定したキーワード対を、医用同義語辞書に含まれる同義語として出力する出力部と
を備える医用同義語辞書作成装置。
【請求項２】
さらに、
前記読影レポート取得部が取得した読影レポートから、初期診断に関する記述の読影レポートを選択する初診文書選択部を備え、
前記キーワード取得部は、前記キーワード辞書データを参照して、前記初診文書選択部が選択した読影レポートから前記キーワード辞書データに登録されているキーワードを取得する
請求項１に記載の医用同義語辞書作成装置。
【請求項３】
前記初診文書選択部は、（ｉ）前記読影レポート取得部が取得した読影レポートを患者ごとに分類し、（ｉｉ）患者ごとに、分類された読影レポートの集合の中から読影者による記入時刻が最も古い読影レポートのみを選択する
請求項２に記載の医用同義語辞書作成装置。
【請求項４】
前記初診文書選択部は、（ｉ）前記読影レポート取得部が取得した読影レポートを患者ごとに分類し、（ｉｉ）患者ごとに、分類された読影レポートの集合の中から読影者による記入時刻が最も古い第１読影レポートを選択し、（ｉｉｉ）患者ごとに、分類された読影レポートの集合の中から、前記第１読影レポートには含まれないキーワードを含む文章を選択し、
前記キーワード取得部は、前記キーワード辞書データを参照して、前記初診文書選択部が選択した前記第１読影レポートおよびキーワードから前記キーワード辞書データに登録されているキーワードを取得する
請求項２に記載の医用同義語辞書作成装置。
【請求項５】
前記キーワード対選択部は、読影項目同士または疾病名同士のキーワード対のみを選択する
請求項１〜４のいずれか１項に記載の医用同義語辞書作成装置。
【請求項６】
さらに、
前記出力部が出力するキーワード対を、前記医用同義語辞書に含まれる同義語として記憶する記憶部を備える
請求項１〜５のいずれか１項に記載の医用同義語辞書作成装置。
【請求項７】
さらに、
前記症例データベースに記憶されている症例データが更新されているか否かを判断し、前記症例データが更新されていると判断した場合に、前記読影レポート取得部、前記キーワード取得部、前記共起疾病名取得部、前記キーワード対選択部、前記共通疾病名文書抽出部、前記同義語判定部および前記出力部を動作させ、前記医用同義語辞書に含まれる同義語を更新する更新制御部を備える
請求項１に記載の医用同義語辞書作成装置。
【請求項８】
前記更新制御部は、前記症例データが更新されていると判断した場合に、前記読影レポート取得部、前記キーワード取得部、前記共起疾病名取得部、前記キーワード対選択部、前記共通疾病名文書抽出部、前記同義語判定部および前記出力部を動作させることにより、前記医用同義語辞書に含まれる全てのキーワードについて同義語を更新する
請求項７に記載の医用同義語辞書作成装置。
【請求項９】
前記更新制御部は、（ｉ）前記症例データベースに記憶されている前記症例データにおける各キーワードの出現頻度を算出し、（ｉｉ）前記症例データが更新されていると判断した場合に、前記読影レポート取得部、前記キーワード取得部、前記共起疾病名取得部、前記キーワード対選択部、前記共通疾病名文書抽出部、前記同義語判定部および前記出力部を動作させることにより、出現頻度が第１閾値以下のキーワードについてのみ同義語を更新する
請求項７に記載の医用同義語辞書作成装置。
【請求項１０】
前記同義語判定部は、前記キーワード対を構成する各キーワードについて、前記共通疾病名文書抽出部が抽出した読影レポート中の当該キーワードを含む文章中の当該キーワード以外のキーワードの出現頻度をベクトルの要素とするキーワードベクトルを作成し、作成したキーワードベクトル間の距離が第２閾値以下であれば、前記キーワード対が同義語であると判定する
請求項１〜９のいずれか１項に記載の医用同義語辞書作成装置。
【請求項１１】
コンピュータが、同義語であるキーワード対を含む医用同義語辞書を作成する医用同義語辞書作成方法であって、
医用画像と当該医用画像を読影した結果が記載された文書データである読影レポートとの組である症例データが記憶されている症例データベースから、読影レポートを取得する読影レポート取得ステップと、
医用画像の特徴を示す文字列からなる読影項目または医用画像の診断結果を示す文字列からなる疾病名であるキーワードが登録されているキーワード辞書データを参照して、前記読影レポート取得ステップで取得された読影レポートから前記キーワード辞書データに登録されているキーワードを取得するキーワード取得ステップと、
前記キーワード取得ステップで取得されたキーワードと共起する疾病名を取得する共起疾病名取得ステップと、
前記キーワード取得ステップで取得されたキーワードから一組のキーワード対を選択するキーワード対選択ステップと、
（ｉ）前記共起疾病名取得ステップで取得された疾病名の中から、前記キーワード対を構成する各キーワードと共起する疾病名を選択し、（ｉｉ）選択した疾病名から前記キーワード対を構成するキーワード間で共通する疾病名を抽出し、（ｉｉｉ）抽出した疾病名を含む読影レポートを、前記症例データベースに記憶されている症例データの中から抽出する共通疾病名文書抽出ステップと、
前記共通疾病名文書抽出ステップで抽出された読影レポートを用いて、前記キーワード対が同義語であるか否かを判定する同義語判定ステップと、
前記同義語判定ステップで同義語であると判定されたキーワード対を、医用同義語辞書に含まれる同義語として出力する出力ステップと
を含む医用同義語辞書作成方法。
【請求項１２】
請求項１１に記載の医用同義語辞書作成方法に含まれる各ステップをコンピュータに実行させるためのプログラム。
【発明の詳細な説明】
【技術分野】
【０００１】
本発明は、医用文書における同義語辞書を自動的に作成する医用同義語辞書作成装置および医用同義語辞書作成方法に関する。
【背景技術】
【０００２】
近年、医療分野ではカルテや読影レポートのデジタル化が進み、医療従事者が大量の診断データを共有することが容易になっている。これらの医用文書は、共通のＩＤやキーワードで互いに紐付けされて保管されており、保管されている過去の文書の有効な二次利用が求められている。
【０００３】
これらの医用文書の有効な二次利用の一つとしては、キーワードによる文書検索が挙げられる。一般的なキーワード検索では、検索キーワードと同じキーワードを持つ読影レポートを検索結果として出力するが、同じ意味を持ちながら異なる表記がされているレポートについては検索結果から外れてしまうという問題が存在する。そのため、より汎用性の高いテキスト検索を実現するためには、同じ意味を持つキーワード同士を結びつける同義語辞書の作成が必須になる。
【０００４】
このような同義語辞書を作成する従来技術として、特許文献１では、類似文書（例えば共通の疾病名を持つ文書）を選択し、選択文書内のキーワード同士を比較することで、同義語か否か判定する方法が提案されている。この方法では、「類似文書（同一の疾病名について記述された文書）では、ほぼ同一のキーワードが用いられる一方、異なるキーワードについては、それらが同一の概念を表す場合が多い」という医用文書の性質を利用しており、類似文書内で利用されるキーワード間の同義語辞書を効率的に作成することができる。
【先行技術文献】
【特許文献】
【０００５】
【特許文献１】特開２００９−１２８９６８号公報
【発明の概要】
【発明が解決しようとする課題】
【０００６】
しかし、特許文献１に記載の方法では、同一の疾病名について記述された医用文書からキーワード間の同義語関係（キーワードが同義語か否か）を判定している。このため、複数種類の疾病名が混在する医用文書から抽出したキーワード間の同義語関係を正しく判定できないという課題がある。
【０００７】
例えば、医用文書のデータベースに、疾病名Ａ（例えば肝細胞癌）と疾病名Ｂ（例えば肝転移）の疾病名が付与された医用文書がそれぞれ格納されており、同文書内のキーワード１（低吸収領域）とキーワード２（ｗａｓｈｏｕｔ領域）が共に疾病名Ａ（肝細胞癌）と疾病名Ｂ（肝転移）と共起しているとする。この時、従来手法による同義語処理では、肝細胞癌の文書集合を用いて算出されたキーワード１（低吸収領域）とキーワード２（ｗａｓｈｏｕｔ領域）の同義語関係と、肝転移の文書集合から算出されたキーワード１（低吸収領域）とキーワード２（ｗａｓｈｏｕｔ領域）の同義語関係がそれぞれ抽出される。この時、各疾病名を含む文章集合におけるキーワード１（低吸収領域）の出現頻度とキーワード２（ｗａｓｈｏｕｔ領域）の出現頻度の偏りが大きい場合には、キーワード１（低吸収領域）の出現頻度とキーワード２（ｗａｓｈｏｕｔ領域）の出現頻度の合計が小さい方の疾病名（例えば、肝転移）の文書集合から算出された同義語評価の信頼性が低下する。このため、キーワード１（低吸収領域）とキーワード２（ｗａｓｈｏｕｔ領域）が、一方の疾病名の文書集合では同義語と判定され、他方の疾病名に対しては同義語と判定されない、という矛盾した同義語判定がなされる可能性がある。すなわち、同じキーワード対に対して同義語関係が一意に求まらないという問題が生じる。
【０００８】
このような問題は、キーワード間の同義語関係を疾病名が同一の文書単位で算出していることに起因している。一般的な医用文書には、特定の疾病名に限定して用いられるキーワードと、複数の疾病名に跨って用いられるキーワードとが混在する。このため、正しい同義語関係を一意に算出するためには、個々のキーワード対ごとに、同義語関係の算出に用いる文書を動的に選択する必要がある。
【０００９】
複数の疾病名に跨って用いられるキーワードについて同義語関係を求めるために、全ての医用文書を対象としてキーワード対の同義語関係を求めることも考えられるが、この場合には同義語関係の算出の処理負荷が大きいという問題がある。
【００１０】
そこで本発明は、上記課題を解決するためになされたものであり、複数種類の疾病名が混在する医用文書に対して同義語となるキーワードの組を正しく、かつ小さい処理負荷で抽出する、医用同義語辞書作成装置および医用同義語辞書作成方法を提供することを目的とする。
【課題を解決するための手段】
【００１１】
上記課題を解決するために、本発明のある局面に係る医用同義語辞書作成装置は、同義語であるキーワード対を含む医用同義語辞書を作成する医用同義語辞書作成装置であって、医用画像と当該医用画像を読影した結果が記載された文書データである読影レポートとの組である症例データが記憶されている症例データベースから、読影レポートを取得する読影レポート取得部と、医用画像の特徴を示す文字列からなる読影項目または医用画像の診断結果を示す文字列からなる疾病名であるキーワードが登録されているキーワード辞書データを参照して、前記読影レポート取得部が取得した読影レポートから前記キーワード辞書データに登録されているキーワードを取得するキーワード取得部と、前記キーワード取得部が取得したキーワードと共起する疾病名を取得する共起疾病名取得部と、前記キーワード取得部が取得したキーワードから一組のキーワード対を選択するキーワード対選択部と、（ｉ）前記共起疾病名取得部が取得した疾病名の中から、前記キーワード対を構成する各キーワードと共起する疾病名を選択し、（ｉｉ）選択した疾病名から前記キーワード対を構成するキーワード間で共通する疾病名を抽出し、（ｉｉｉ）抽出した疾病名を含む読影レポートを、前記症例データベースに記憶されている症例データの中から抽出する共通疾病名文書抽出部と、前記共通疾病名文書抽出部が抽出した読影レポートを用いて、前記キーワード対が同義語であるか否かを判定する同義語判定部と、前記同義語判定部が同義語であると判定したキーワード対を、医用同義語辞書に含まれる同義語として出力する出力部とを備える。
【００１２】
この構成によると、キーワード対を構成するキーワード間で、そのキーワードと共起する疾病名が共通する読影レポートを用いて、キーワード対が同義語か否かを判定する。このため、キーワード対ごとに共起する症例名が共通する読影レポートを動的に抽出することができる。よって、複数種類の疾病名が混在する医用文書に対して同義語となるキーワードの組を正しく、かつ小さい処理負荷で抽出することができ、正しい同義語辞書を作成することができる。
【００１３】
なお、本発明は、このような特徴的な処理部を備える医用同義語辞書作成装置として実現することができるだけでなく、医用同義語辞書作成装置に含まれる特徴的な処理部が実行する処理をステップとする医用同義語辞書作成方法として実現することができる。また、医用同義語辞書作成装置が備える特徴的な処理部としてコンピュータを機能させるためのプログラムとして実現することもできる。また、医用同義語辞書作成方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な不揮発性の記録媒体やインターネット等の通信ネットワークを介して流通させることができるのは、言うまでもない。
【発明の効果】
【００１４】
本発明によると、複数種類の疾病名が混在する医用文書に対して、同義語となるキーワードの組を正しく、かつ小さい処理負荷で抽出することができる。
【図面の簡単な説明】
【００１５】
【図１】本発明の実施の形態１における、医用同義語辞書作成装置の特徴的な機能構成を示すブロック図
【図２】本発明の実施の形態１における、症例データベースに記憶されている症例データの一例を示す図
【図３】本発明の実施の形態１における、キーワード辞書の一例を示す図
【図４】本発明の実施の形態１における、医用同義語辞書作成装置の詳細な処理の流れを示すフローチャート
【図５】本発明の実施の形態１における、キーワードと疾病名の共起関係を格納したデータの一例を示す図
【図６】本発明の実施の形態１における、共通疾病名文書抽出部の処理の概念図
【図７】本発明の実施の形態１における、キーワードベクトルの概念図
【図８】本発明の実施の形態２における、医用同義語辞書作成装置の特徴的な機能構成を示すブロック図
【図９】本発明の実施の形態２における、初診文書選択部の詳細な構成を示すブロック図
【図１０】本発明の実施の形態２における、医用同義語辞書作成装置が実行する全体的な処理の流れを示すフローチャート
【図１１】本発明の実施の形態２における、記入時刻が異なる読影レポートの一例を示す図
【図１２】本発明の実施の形態２における、初診文書選択処理（図１０のステップＳ２０１）の詳細な処理の流れの一例を示すフローチャート
【図１３】本発明の実施の形態３における、医用同義語辞書作成装置の特徴的な機能構成を示すブロック図
【図１４】本発明の実施の形態３における、医用同義語辞書作成装置が実行する全体的な処理の流れを示すフローチャート
【図１５】医用同義語辞書データベースを利用したシステムの構成を示す図
【図１６】本発明の実施の形態１〜３に係る医用同義語辞書作成装置を実現するコンピュータシステムのハードウェア構成を示すブロック図
【発明を実施するための形態】
【００１６】
以下、本発明の実施の形態について、図面を参照しながら説明する。なお、以下で説明する実施の形態は、いずれも本発明の好ましい一具体例を示すものである。以下の実施の形態で示される数値、構成要素、構成要素の接続形態、ステップ、ステップの順序などは、一例であり、本発明を限定する主旨ではない。本発明は、特許請求の範囲だけによって限定される。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００１７】
本発明の実施の形態に係る医用同義語辞書作成装置は、電子カルテまたは医用画像の読影レポート等、医用文書に記述されたキーワードに関する同義語辞書を作成する装置である。
【００１８】
本発明の一実施態様に係る医用同義語辞書作成装置は、同義語であるキーワード対を含む医用同義語辞書を作成する医用同義語辞書作成装置であって、医用画像と当該医用画像を読影した結果が記載された文書データである読影レポートとの組である症例データが記憶されている症例データベースから、読影レポートを取得する読影レポート取得部と、医用画像の特徴を示す文字列からなる読影項目または医用画像の診断結果を示す文字列からなる疾病名であるキーワードが登録されているキーワード辞書データを参照して、前記読影レポート取得部が取得した読影レポートから前記キーワード辞書データに登録されているキーワードを取得するキーワード取得部と、前記キーワード取得部が取得したキーワードと共起する疾病名を取得する共起疾病名取得部と、前記キーワード取得部が取得したキーワードから一組のキーワード対を選択するキーワード対選択部と、（ｉ）前記共起疾病名取得部が取得した疾病名の中から、前記キーワード対を構成する各キーワードと共起する疾病名を選択し、（ｉｉ）選択した疾病名から前記キーワード対を構成するキーワード間で共通する疾病名を抽出し、（ｉｉｉ）抽出した疾病名を含む読影レポートを、前記症例データベースに記憶されている症例データの中から抽出する共通疾病名文書抽出部と、前記共通疾病名文書抽出部が抽出した読影レポートを用いて、前記キーワード対が同義語であるか否かを判定する同義語判定部と、前記同義語判定部が同義語であると判定したキーワード対を、医用同義語辞書に含まれる同義語として出力する出力部とを備える。
【００１９】
この構成によると、キーワード対を構成するキーワード間で、そのキーワードと共起する疾病名が共通する読影レポートを用いて、キーワード対が同義語か否かを判定する。このため、キーワード対ごとに共起する症例名が共通する読影レポートを動的に抽出することができる。よって、複数種類の疾病名が混在する医用文書に対して同義語となるキーワードの組を正しく、かつ小さい処理負荷で抽出することができ、正しい同義語辞書を作成することができる。
【００２０】
好ましくは、上述の医用同義語辞書作成装置は、さらに、前記読影レポート取得部が取得した読影レポートから、初期診断に関する記述の読影レポートを選択する初診文書選択部を備え、前記キーワード取得部は、前記キーワード辞書データを参照して、前記初診文書選択部が選択した読影レポートから前記キーワード辞書データに登録されているキーワードを取得する。
【００２１】
この構成によると、同じ患者に対して複数回の診断を行った結果の読影レポートが含まれる場合であっても、初期診断に関する記述の読影レポートのみを用いて医用同義語辞書を作成することができる。このため、精度の高い同義語辞書を作成することが可能になる。
【００２２】
具体的には、前記初診文書選択部は、（ｉ）前記読影レポート取得部が取得した読影レポートを患者ごとに分類し、（ｉｉ）患者ごとに、分類された読影レポートの集合の中から読影者による記入時刻が最も古い読影レポートのみを選択する。
【００２３】
また、前記初診文書選択部は、（ｉ）前記読影レポート取得部が取得した読影レポートを患者ごとに分類し、（ｉｉ）患者ごとに、分類された読影レポートの集合の中から読影者による記入時刻が最も古い第１読影レポートを選択し、（ｉｉｉ）患者ごとに、分類された読影レポートの集合の中から、前記第１読影レポートには含まれないキーワードを含む文章を選択し、前記キーワード取得部は、前記キーワード辞書データを参照して、前記初診文書選択部が選択した前記第１読影レポートおよびキーワードから前記キーワード辞書データに登録されているキーワードを取得しても良い。
【００２４】
この構成によると、初期診断の読影レポートに加え、２回目以降の診断の読影レポートの中から経時診断以外の文章を用いて医用同義語辞書を作成することができる。
【００２５】
好ましくは、前記キーワード対選択部は、読影項目同士または疾病名同士のキーワード対のみを選択する。
【００２６】
疾病名は複数の診断項目の上位概念であるため、疾病名と診断項目とは直接同義語にはならない。そのため、疾病名と診断項目の対を選択しないことで、医用辞書作成のための処理時間を低減することができる。
【００２７】
また、上述の医用同義語辞書作成装置は、さらに、前記出力部が出力するキーワード対を、前記医用同義語辞書に含まれる同義語として記憶する記憶部を備えていても良い。
【００２８】
また、上述の医用同義語辞書作成装置は、さらに、前記症例データベースに記憶されている症例データが更新されているか否かを判断し、前記症例データが更新されていると判断した場合に、前記読影レポート取得部、前記キーワード取得部、前記共起疾病名取得部、前記キーワード対選択部、前記共通疾病名文書抽出部、前記同義語判定部および前記出力部を動作させ、前記医用同義語辞書に含まれる同義語を更新する更新制御部を備えていても良い。
【００２９】
この構成によると、症例データベースに記憶されている症例データが更新された場合であっても、医用同義語辞書を自動的に更新することができるため、より汎用性の高い医用同義語辞書を用いた検索が可能になる。
【００３０】
なお、前記更新制御部は、前記症例データが更新されていると判断した場合に、前記読影レポート取得部、前記キーワード取得部、前記共起疾病名取得部、前記キーワード対選択部、前記共通疾病名文書抽出部、前記同義語判定部および前記出力部を動作させることにより、前記医用同義語辞書に含まれる全てのキーワードについて同義語を更新しても良い。
【００３１】
また、前記更新制御部は、（ｉ）前記症例データベースに記憶されている前記症例データにおける各キーワードの出現頻度を算出し、（ｉｉ）前記症例データが更新されていると判断した場合に、前記読影レポート取得部、前記キーワード取得部、前記共起疾病名取得部、前記キーワード対選択部、前記共通疾病名文書抽出部、前記同義語判定部および前記出力部を動作させることにより、出現頻度が第１閾値以下のキーワードについてのみ同義語を更新しても良い。
【００３２】
高頻度のキーワードが新しく追加された場合は、仮に同義語か否かの判定をし直したとしても結果は変わらないため、医用同義語辞書の更新を行う必要性が低い。一方、出現頻度が少ないキーワードに対しては、同義語関係の不確実性が高いため、医用同義語辞書を更新する必要性が高い。このように、症例データベース内のキーワード頻度に応じて同義語辞書の更新の可否を判定することにより、更新時の計算量を低減できるため、更新時間を短縮することができる。
【００３３】
また、前記同義語判定部は、前記キーワード対を構成する各キーワードについて、前記共通疾病名文書抽出部が抽出した読影レポート中の当該キーワードを含む文章中の当該キーワード以外のキーワードの出現頻度をベクトルの要素とするキーワードベクトルを作成し、作成したキーワードベクトル間の距離が第２閾値以下であれば、前記キーワード対が同義語であると判定しても良い。
【００３４】
本発明の他の実施態様に係る医用同義語辞書作成方法は、コンピュータが、同義語であるキーワード対を含む医用同義語辞書を作成する医用同義語辞書作成方法であって、医用画像と当該医用画像を読影した結果が記載された文書データである読影レポートとの組である症例データが記憶されている症例データベースから、読影レポートを取得する読影レポート取得ステップと、医用画像の特徴を示す文字列からなる読影項目または医用画像の診断結果を示す文字列からなる疾病名であるキーワードが登録されているキーワード辞書データを参照して、前記読影レポート取得ステップで取得された読影レポートから前記キーワード辞書データに登録されているキーワードを取得するキーワード取得ステップと、前記キーワード取得ステップで取得されたキーワードと共起する疾病名を取得する共起疾病名取得ステップと、前記キーワード取得ステップで取得されたキーワードから一組のキーワード対を選択するキーワード対選択ステップと、（ｉ）前記共起疾病名取得ステップで取得された疾病名の中から、前記キーワード対を構成する各キーワードと共起する疾病名を選択し、（ｉｉ）選択した疾病名から前記キーワード対を構成するキーワード間で共通する疾病名を抽出し、（ｉｉｉ）抽出した疾病名を含む読影レポートを、前記症例データベースに記憶されている症例データの中から抽出する共通疾病名文書抽出ステップと、前記共通疾病名文書抽出ステップで抽出された読影レポートを用いて、前記キーワード対が同義語であるか否かを判定する同義語判定ステップと、前記同義語判定ステップで同義語であると判定されたキーワード対を、医用同義語辞書に含まれる同義語として出力する出力ステップとを含む。
【００３５】
本発明のさらに他の実施態様に係るプログラムは、上述の医用同義語辞書作成方法に含まれる各ステップをコンピュータに実行させるためのプログラムである。
【００３６】
（実施の形態１）
以下の各実施の形態で用いる用語を説明する。
【００３７】
「キーワード」とは、以下に述べる「読影項目」と「疾病名」の何れかを示す。
【００３８】
「読影項目」とは、本実施の形態では、「読影医が、読影対象の画像の特徴を言語化した文字列」と定義する。使用する医用画像撮影装置、対象臓器等で使用される用語はほぼ限定されるが、例えば、分葉状、棘状、不整形、境界明瞭、輪郭不明瞭、低／高濃度、低／高吸収、スリガラス状、石灰化、モザイク状、濃染、低／高エコー、毛羽立ち、等が挙げられる。
【００３９】
「疾病名」とは、読影者が医用画像やその他の検査を基に診断した疾病名のことである。例えば、肝細胞癌、嚢胞、血管腫、等が挙げられる。
【００４０】
（実施の形態１：構成の説明）
以下、本発明の実施の形態１に係る医用同義語辞書作成装置について、図面を用いて詳細に説明する。
【００４１】
本実施の形態では、医用画像の読影レポートに記述されたキーワードに関する同義語辞書を作成する場合を例に説明する。
【００４２】
図１は、本発明の実施の形態に係る医用同義語辞書作成装置１００の特徴的な機能構成を示すブロック図である。
【００４３】
図１に示すように、医用同義語辞書作成装置１００は、症例データベース１０１内に記憶されている読影レポートから抽出されるキーワードの同義語辞書である医用同義語辞書を作成する装置である。なお、本明細書中で同義語とは同一の意味の語に限定されず、類似の意味の語である類義語も含むものとする。つまり、本発明に係る医用同義語辞書作成装置は、医用類義語辞書作成装置としても利用可能である。
【００４４】
医用同義語辞書作成装置１００は、読影レポート取得部１０３、キーワード取得部１０４、共起疾病名取得部１０５、キーワード対選択部１０６、共通疾病名文書抽出部１０７、同義語判定部１０８、出力部１１０、および記憶部１０９を備える。医用同義語辞書作成装置１００は、外部の症例データベース１０１、キーワード辞書１０２、および表示装置１１１に接続される。
【００４５】
以下、図１に示した、症例データベース１０１、キーワード辞書１０２、および医用同義語辞書作成装置１００の各構成要素の詳細について順に説明する。
【００４６】
症例データベース１０１は、例えばハードディスク、メモリ等からなる記憶装置である。症例データベース１０１は、読影者に提示する読影対象の画像を示す医用画像データと、その医用画像データに対応する読影レポートとから構成される症例データを記憶しているデータベースである。ここで、医用画像データとは、画像診断のために用いられる画像データであり、電子媒体に格納された画像データを示す。また、読影レポートとは、医用画像データの読影結果に加え、画像診断後に行われる生検等の確定診断結果までを示す情報である。読影レポートは、文書データ（テキストデータ）である。生検とは、患部の一部を切り取って、顕微鏡などで調べる検査のことである。本明細書中では「画像データ」のことを単に「画像」と言う。
【００４７】
図２は、症例データベース１０１に記憶されている症例データを構成する、医用画像２０としてのＣＴ（Ｃｏｍｐｕｔｅｄ  Ｔｏｍｏｇｒａｐｈｙ）画像および読影レポート２１の一例をそれぞれ示す図である。読影レポート２１は、患者ＩＤ２２、読影レポートＩＤ２３、画像ＩＤ２４、画像所見２５、確定診断結果２６、記入時刻２７および検査項目２８を含む。１つの症例データは同一の患者から作成される。
【００４８】
患者ＩＤ２２は、診断対象の患者を特定するための識別子である。読影レポートＩＤ２３は、読影レポート２１を識別するための識別子である。画像ＩＤ２４は、医用画像２０を識別するための識別子である。画像所見２５は、画像ＩＤ２４の医用画像２０に対する診断結果を示す情報である。つまり、画像所見２５は、病名を含む診断結果（読影結果）および診断理由（読影理由）を示す情報である。確定診断結果２６は、読影レポートＩＤ２３で示される患者の確定診断結果を示す。ここで確定診断結果とは、手術または生検で得られた試験体の顕微鏡による病理検査、またはその他様々な手段によって、対象の患者の真の状態が何であったのかを明らかにした診断結果である。記入時刻２７は、読影レポート２１が記入された時刻を示す情報である。検査項目２８は、読影レポート２１の検査項目を示す情報であり、例えばＣＴまたはＭＲＩ（Ｍａｇｎｅｔｉｃ  Ｒｅｓｏｎａｎｃｅ  Ｉｍａｇｉｎｇ）などのモーダル情報が記入される。
【００４９】
キーワード辞書１０２は、例えばハードディスク、メモリ等からなる記憶装置である。
【００５０】
キーワード辞書１０２は、読影レポート２１からの抽出対象となるキーワード（キーワード辞書データ）を記憶しているデータベースである。図３は、キーワード辞書１０２に記憶されているキーワードの一例を示す図である。図３に示すように、キーワード辞書１０２には、キーワード名３０とキーワード属性３１とがリスト形式で記憶されている。ここで、キーワード属性３１とは、キーワード名３０のキーワードが読影項目か疾病名かを示すデータである。例えば、濃染というキーワードのキーワード属性は読影項目である。
【００５１】
読影レポート取得部１０３は、症例データベース１０１から、読影者が診断を行った読影レポート２１を取得する。読影レポート取得部１０３は、取得した読影レポート２１を、キーワード取得部１０４および共起疾病名取得部１０５に出力する。
【００５２】
キーワード取得部１０４は、キーワード辞書１０２を参照することにより、読影レポート取得部１０３が取得した読影レポート２１の中からキーワード辞書１０２に登録されているキーワードを取得し、取得したキーワードをリスト化してキーワード対選択部１０６に出力する。具体的なキーワード取得方法については後述する。
【００５３】
共起疾病名取得部１０５は、読影レポート取得部１０３が取得した読影レポート２１から、キーワード取得部１０４が取得したキーワードと共起する疾病名を取得し、共通疾病名文書抽出部１０７に出力する。
【００５４】
キーワード対選択部１０６は、キーワード取得部１０４から取得したキーワードリストから未選択のキーワード対を選択し、選択したキーワード対を、共通疾病名文書抽出部１０７、同義語判定部１０８、および出力部１１０に出力する。
【００５５】
共通疾病名文書抽出部１０７は、キーワード対選択部１０６から取得したキーワード対と、共起疾病名取得部１０５から取得した共起疾病名とを用いて、前記キーワード対の共起疾病名が共通する読影レポート２１（共通する共起疾病名を含む読影レポート２１）を抽出し、同義語判定部１０８に出力する。つまり、共通疾病名文書抽出部１０７は、（ｉ）共起疾病名取得部１０５が取得した疾病名の中から、キーワード対を構成する各キーワードと共起する疾病名を選択し、（ｉｉ）選択した疾病名からキーワード対を構成するキーワード間で共通する疾病名を抽出し、（ｉｉｉ）抽出した疾病名を含む読影レポートを、症例データベース１０１に記憶されている症例データの中から抽出する。具体的な読影レポート抽出方法については後述する。
【００５６】
同義語判定部１０８は、キーワード対選択部１０６から取得したキーワード対と、共通疾病名文書抽出部１０７から取得した読影レポート２１とを用いて、前記キーワード対が同義語であるか否かの判定を行い、判定結果を出力部１１０に出力する。具体的な同義語判定方法については後述する。
【００５７】
出力部１１０は、キーワード対選択部１０６から取得したキーワード対のうち、同義語判定部１０８で同義語と判定されたキーワード対を、医用同義語辞書に含まれる同義語として記憶部１０９に書き込む、または、表示装置１１１に表示する。
【００５８】
次に、以上のように構成された医用同義語辞書作成装置１００の動作について順に説明する。
【００５９】
（実施の形態１：医用同義語辞書作成装置１００の動作の説明）
図４は、医用同義語辞書作成装置１００が実行する処理の全体的な流れを示すフローチャートである。以下、図４を用いて、医用同義語辞書作成装置１００が実行する処理の全体的な流れについて説明する。
【００６０】
まず、読影レポート取得部１０３は、症例データベース１０１から読影レポート２１を取得し、キーワード取得部１０４および共起疾病名取得部１０５に出力する（ステップＳ１０１）。読影レポート２１は、例えば、１週間単位などの固定期間ごとに取得してもよいし、ユーザが指定する任意のタイミングで取得してもよい。
【００６１】
次に、キーワード取得部１０４は、キーワード辞書１０２を参照することにより、読影レポート取得部１０３から取得した読影レポート２１の中からキーワードを取得し、取得したキーワードをリスト化してキーワード対選択部１０６に出力する（ステップＳ１０２）。特に、キーワード取得部１０４は、読影レポート２１の画像所見２５および確定診断結果２６からキーワードを抽出する。
【００６２】
キーワード抽出方法としては、例えば、読影レポート２１の中から、キーワード辞書１０２に記憶されているキーワードと一致するキーワードを抽出すればよい。
【００６３】
次に、共起疾病名取得部１０５は、読影レポート取得部１０３から取得した読影レポート２１から、キーワード取得部１０４で取得したキーワードと共起する疾病名を取得し、共通疾病名文書抽出部１０７に出力する（ステップＳ１０３）。ここで、共起とは、同一文書内（本実施の形態では同一の読影レポート２１内）に出現するという意味である。図５にキーワードと疾病名の共起関係を示すデータの一例を示す。共起する場合は○印を付し、共起しない場合は×印を付している。各キーワードは共起する疾病名と対応付けられた形で出力される。図５では、例えば、キーワード「腫瘤」と共起する疾病名は「肝細胞癌」、「肝転移」、「血管腫」および「嚢胞」であることが示されている。また、キーワード「ｗａｓｈｏｕｔ領域」と共起する疾病名は「肝細胞癌」および「肝転移」であり、キーワード「ｗａｓｈｏｕｔ領域」と疾病名「血管腫」および「嚢胞」とは共起しないことが示されている。
【００６４】
次に、キーワード対選択部１０６は、キーワード取得部１０４から取得したキーワードリストから未選択のキーワード対を選択し、選択したキーワード対を共通疾病名文書抽出部１０７、同義語判定部１０８、および出力部１１０に出力する（ステップＳ１０４）。
【００６５】
なお、キーワード対選択部１０６は、キーワード対を選択する際に、疾病名の対、および診断項目の対のみを選択してもよい。疾病名は複数の診断項目の上位概念であるため、疾病名と診断項目とは同義語関係にはならない。そのため、疾病名と診断項目の対を選択しないことで、医用辞書作成のための処理時間を低減することができる。
【００６６】
次に、共通疾病名文書抽出部１０７は、キーワード対選択部１０６から取得したキーワード対と、共起疾病名取得部１０５から取得した、キーワード対を構成する各キーワードの共起疾病名とを用いて、前記キーワード対間で共起疾病名が共通する読影レポート２１を、症例データベース１０１から抽出し、抽出した読影レポート２１を同義語判定部１０８に出力する（ステップＳ１０５）。
【００６７】
ここで、キーワード間の同義語関係を判定するために、共起疾病名が共通する読影レポート２１を選択する理由について述べる。
【００６８】
疾病名が共通する読影レポート２１において同じ意味を持つキーワードは、異なる表記であっても、前後に出現するキーワードが類似する。何故なら、読影者によるキーワード表記の違いはあるが、疾病名の診断指針は当該分野において共通だからである。即ち、１つの疾病名が付与された読影レポート２１内では、同義語判定を行うキーワードの前後に出現するキーワードの類似性を計ることで、同義語関係を評価することができる。
【００６９】
しかし、読影レポートや電子カルテなどの医用データは、複数の疾病名が診断された読影レポート２１の集合であるため、キーワードは複数の疾病名と共起することが一般的である。そのため、疾病名単位で同義語関係を判定すると、同じキーワード対に対して複数の同義語の組が作られ、作成された同義語関係に矛盾が生じた場合は、同義語関係を評価することができない。
【００７０】
また、疾病名を無視して全ての読影レポート２１を用いてキーワード間の同義語関係を判定する場合は、同義語関係は一意に求められるが、共起する疾病名が一部共通するキーワード対に対しては正しい判定を行うことができない。
【００７１】
例えば、図５に示すように肝細胞癌、肝転移、血管腫、嚢胞の４つの疾病名と共起する「低吸収領域」というキーワードと、肝細胞癌および肝転移と共起する「ｗａｓｈｏｕｔ領域」というキーワードは、画像診断上では同じ画像様態を示すため同義語と判断することができる。ここで、共通疾病名である肝細胞癌または肝転移の読影レポート２１だけを用いれば、前後に出現するキーワードの類似性からキーワード対が同義語であると判定することができる。しかし、全読影レポート２１（疾病名が肝細胞癌、肝転移、血管腫、嚢胞の読影レポート２１）を用いた場合には、疾病名が血管腫または嚢胞の読影レポート２１における「低吸収領域」の使われ方（前後に出現するキーワードの類似性）が疾病名が肝細胞癌または肝転移の読影レポート２１の場合と大きく異なる。このため、肝細胞癌または肝転移の読影レポート２１だけを用いて同義語であると判定されたキーワード対であっても同義語と判定されない。
【００７２】
そこで、キーワード対ごとに共起疾病名が共通する読影レポート２１を動的に選択できれば、キーワードの使われ方を比較することができ、すべてのキーワード対に対して、一意に、同義語関係を評価することができる。また、読影レポート２１を動的に選択することにより、全ての読影レポート２１を用いて同義語であるか否かを判定する場合に比べて、処理負荷を減らすことができる。
【００７３】
具体的な文書抽出方法として、共通疾病名文書抽出部１０７は、共起疾病名取得部１０５から取得した各キーワードに対する共起疾病名の中から、キーワード対で共通する疾病名を算出し、算出された疾病名が付与された読影レポート２１を、症例データベース１０１から抽出する。図６に共通疾病名文書抽出部１０７の処理の概念図を示す。キーワード対選択部１０６から取得したキーワード対が（腫瘤，低吸収領域）の場合、各キーワードの共起疾病名は、共に肝細胞癌、肝転移、血管腫、嚢胞となるため、共通疾病名文書抽出部１０７は、共通した共起疾病名である肝細胞癌、肝転移、血管腫、嚢胞が付与された読影レポート２１を症例データベース１０１から抽出する。また、キーワード対選択部１０６から取得したキーワード対が（低吸収領域，ｗａｓｈｏｕｔ領域）の場合、低吸収領域と共起する疾病名は肝細胞癌、肝転移、血管腫、嚢胞であり、ｗａｓｈｏｕｔ領域と共起する疾病名は肝細胞癌と肝転移である。このため、共通疾病名文書抽出部１０７は、２つのキーワードに共通する共起疾病名である肝細胞癌と肝転移が付与された読影レポート２１を、症例データベース１０１から抽出する。
【００７４】
次に、同義語判定部１０８は、キーワード対選択部１０６から取得したキーワード対と、共通疾病名文書抽出部１０７から取得した読影レポート２１を用いて、前記キーワード対に対する同義語判定を行い、判定結果を出力部１１０に出力する（ステップＳ１０６）。具体的には、同義語判定部１０８は、例えば、共通疾病名文書抽出部１０７から取得した読影レポート２１において、判定対象となるキーワード対を構成する各キーワードの前後に出現するキーワード頻度の類似性に基づいて同義語か否かを判定すればよい。以下、キーワード対選択部１０６で「低吸収領域」と「ｗａｓｈｏｕｔ領域」の２つのキーワードが選択された場合を例に、同義語判定部１０８の処理の一例を説明する。まず初めに、同義語判定部１０８は、共通疾病名文書抽出部１０７から取得した読影レポート２１の画像所見２５および確定診断結果２６から、「低吸収領域」が含まれている画像所見２５および確定診断結果２６の各テキストデータを取得する。次に、同義語判定部１０８は、取得したテキストデータから「低吸収領域」を含む一文（文章）を選択する。同義語判定部１０８は、選択した一文から「低吸収領域」以外のキーワードを抽出し、図７に示すようなキーワードベクトルを作成する。ここで、ｔｉ（ｉ＝１〜ｎ）はキーワードの出現頻度、ｎはキーワードの種類数であり、各キーワードの出現頻度がベクトルの要素である。次に、同義語判定部１０８は、「ｗａｓｈｏｕｔ領域」に対するキーワードベクトルを、「低吸収領域」の場合と同様の手法で作成する。最後に、同義語判定部１０８は、作成された２つのキーワードベクトル間のコサイン距離を算出し、算出した距離が閾値以下であれば同義語であると判定し、閾値より大きければ同義語でないと判定する。このような同義語判定の詳細なアルゴリズムは、非特許文献：「山本，梅村，“辞書を用いない関連語リストの構築方法”，情報処理学会研究報告，ｖｏｌ．２００２(２０)，ｐｐ．８１−８８，２００２−０３−０４」に開示されている。
【００７５】
次に、出力部１１０は、同義語判定部１０８で同義語と判定された場合に、キーワード対選択部１０６から取得したキーワード対を、医用同義語辞書に含まれる同義語として記憶部１０９へ書き込む（ステップＳ１０７）。これにより、記憶部１０９には複数の同義語を含む医用同義語辞書が記憶される。
【００７６】
最後に、キーワード対選択部１０６は、ステップＳ１０３で全てのキーワード対を選択したか否かを判定し、選択されていないキーワード対がある場合にはステップＳ１０４に戻り、全てのキーワード対が選択されている場合には処理を終了する（ステップＳ１０８）。
【００７７】
以上説明したように、図４に示すステップＳ１０１〜Ｓ１０８の処理を実行することにより、医用同義語辞書作成装置１００は、キーワード対毎に共起する症例名が共通する読影レポート２１を動的に選択し、複数種類の疾病名が混在する読影レポート２１に対して同義語辞書を作成することができる。
【００７８】
なお、症例データベース１０１、キーワード辞書１０２は、医用同義語辞書作成装置１００に備えられていてもよい。
【００７９】
また、症例データベース１０１、キーワード辞書１０２は、医用同義語辞書作成装置１００とネットワークを介して接続されたサーバ上に備えられてもよい。
【００８０】
また、読影レポート２１は、医用画像２０内に付属データとして含まれていてもよい。
【００８１】
（従来手法との比較）
例えば肝細胞癌と診断された医用文書（読影レポート２１）と、肝転移と診断された医用文書（読影レポート２１）中に、それぞれキーワード「低吸収領域」および「ｗａｓｈｏｕｔ領域」が含まれおり、これらのキーワード間の同義語関係を評価することを考える。特許文献１の手法では、肝細胞癌の文書集合を用いて算出された「低吸収領域」および「ｗａｓｈｏｕｔ領域」の同義語関係と、肝転移の文書集合から算出された「低吸収領域」および「ｗａｓｈｏｕｔ領域」の同義語関係がそれぞれ抽出される。この時、各疾病名を含む読影レポート２１における「低吸収領域」の出現頻度と「ｗａｓｈｏｕｔ領域」の出現頻度との偏りが大きい場合には、「低吸収領域」の出現頻度と「ｗａｓｈｏｕｔ領域」の出現頻度の合計が小さい方の疾病名（例えば、肝転移）の文書集合から算出された同義語評価の信頼性が低下し、「低吸収領域」および「ｗａｓｈｏｕｔ領域」が、一方の疾病名の文書集合では同義語と判定され、他方の疾病名に対しては同義語と判定されない、という矛盾した同義語判定がなされる可能性がある。
【００８２】
しかし、本手法では、「低吸収領域」および「ｗａｓｈｏｕｔ領域」の双方のキーワードと共起する疾病名を含む文書（読影レポート２１）を選択するため、肝細胞癌と肝転移の両方の読影レポート２１を用いて一意に同義語関係を求めることが可能になり、複数種類の疾病名が混在する医用文書に対しても、正しく同義語辞書を作成することができる。
【００８３】
以上のように、本実施の形態に係る医用同義語辞書作成装置１００は、キーワード対ごとに共起する症例名が共通する文書を動的に選択することにより、複数種類の疾病名が混在する医用文書に対しても正しく同義語辞書を作成することができる。
【００８４】
（実施の形態２）
次に、本発明の実施の形態２に係る医用同義語辞書作成装置について説明する。
【００８５】
図８に示す本実施の形態に係る医用同義語辞書作成装置２００は、読影レポート取得部１０３から取得した読影レポート２１に対して、医用同義語辞書作成に用いる文書を取捨選択する特徴を有する。
【００８６】
症例データベース１０１には、同じ患者に対して複数回の診断を行った症例データが記憶されている場合がある。この場合には、初回の詳細な診断（以下、「初期診断」と言う。）が記載され、２回目以降は経時観察による診断（以下、「経時診断」と言う。）が主な記載内容になる。初期診断と経時診断では、診断結果が同じ疾病名であっても、表記体系が異なるという特徴がある。
【００８７】
初期診断では、「高吸収領域が見られ、肝細胞癌を疑う」のように、疾病名（ここでは、「肝細胞癌」）とその診断理由となるキーワード（ここでは、「高吸収領域」）が記述されるが、経時診断では「前回と変わらず、肝細胞癌を疑う」のように、変化の無いキーワード（ここでは、「高吸収領域」）については記述されない。このため、初期診断の医用文書では同義語関係が特定されたキーワード（ここでは、「高吸収領域」）であっても、同一の患者について記述された経時診断の医用文書では同義語関係が不定となる。
【００８８】
即ち、初期診断と経時診断が混在したデータを用いて同義語判定を行うと、本来同義語関係にあるキーワード対が、表記体系の違いによって「同義語ではない」と判定され、同義語判定の精度が低下するという問題が生じる。
【００８９】
そこで本実施の形態における医用同義語辞書作成装置２００は、読影レポート取得部１０３から取得した読影レポート２１の中から初期診断の文書（読影レポート）を用いて医用同義語辞書を作成し、記憶部１０９に記憶する。
【００９０】
これにより、症例データベース１０１に同じ患者に対して複数回の診断を行ったデータが含まれる場合であっても、精度の高い同義語辞書を作成することが可能になる。
【００９１】
以下、初めに図８を参照しながら、医用同義語辞書作成装置２００の各構成について順に説明する。
【００９２】
（実施の形態２：構成の説明）
図８は、本発明の実施の形態２に係る医用同義語辞書作成装置２００の特徴的な機能構成を示すブロック図である。
【００９３】
図８において、図１と同じ構成要素については同じ符号を付し、説明を繰り返さない。図８に示す医用同義語辞書作成装置２００が図１に示す医用同義語辞書作成装置１００と相違する点は、読影レポート取得部１０３から取得した読影レポート２１から、初期診断の文書を選択する初診文書選択部２０１を有する点である。また、キーワード取得部１０４および共起疾病名取得部１０５の代わりに、キーワード取得部１０４Ａおよび共起疾病名取得部１０５Ａをそれぞれ有する点である。
【００９４】
初診文書選択部２０１は、読影レポート取得部１０３から取得した読影レポート２１から、初期診断の読影レポート２１を選択し、選択した読影レポート２１をキーワード取得部１０４Ａおよび共起疾病名取得部１０５Ａに出力する。具体的な選択方法については後述する。
【００９５】
キーワード取得部１０４Ａおよび共起疾病名取得部１０５Ａは、キーワード取得部１０４および共起疾病名取得部１０５と異なり、初診文書選択部２０１から読影レポート２１を取得するが、実行する処理はキーワード取得部１０４および共起疾病名取得部１０５とそれぞれ同様である。
【００９６】
図９に初診文書選択部２０１の詳細な構成図を示す。
【００９７】
初診文書選択部２０１は、患者ＩＤリスト作成部２００１と、患者ＩＤ選択部２００２と、初期文書記録部２００３と、初期キーワードリスト作成部２００４と、差分キーワード抽出部２００５、差分センテンス記録部２００６とを備える。
【００９８】
初診文書選択部２０１は、読影レポート取得部１０３から、各患者に対して初めて記入された読影レポート２１を取得し、さらに、２回目以降に記入された読影レポート２１の中から、初回に記入された読影レポート２１に含まれない新しい記述部分を初診文書として取得する。
【００９９】
患者ＩＤリスト作成部２００１は、読影レポート取得部１０３から取得した読影レポート２１から患者ＩＤ２２のリスト（患者ＩＤリスト）を作成し、作成した患者ＩＤリストと、患者ＩＤリストに含まれる各患者ＩＤ２２に紐付けられた読影レポート２１を患者ＩＤ選択部２００２に出力する。
【０１００】
患者ＩＤ選択部２００２は、患者ＩＤリスト作成部２００１から取得した患者ＩＤリストから、１つの患者ＩＤ２２を選択し、選択した患者ＩＤ２２に紐付けられた読影レポート２１を初期文書記録部２００３、差分キーワード抽出部２００５および差分センテンス記録部２００６に出力する。つまり、一人の患者（１つの患者ＩＤ２２）について、複数回の診断が行われている場合には複数の読影レポート２１が初期文書記録部２００３、差分キーワード抽出部２００５および差分センテンス記録部２００６に出力される。
【０１０１】
初期文書記録部２００３は、患者ＩＤ選択部２００２から取得した読影レポート２１の中から、読影者による記入時刻２７が最も古い読影レポート２１のテキストデータ（画像所見２５）を記録媒体（図示せず）に記録し、初期キーワードリスト作成部２００４に出力する。
【０１０２】
初期キーワードリスト作成部２００４は、キーワード辞書１０２を参照して、初期文書記録部２００３から取得したテキストデータから、キーワード辞書１０２に登録されているキーワードを抽出し、抽出したキーワードをリスト化して差分キーワード抽出部２００５に出力する。
【０１０３】
差分キーワード抽出部２００５は、キーワード辞書１０２を参照して、患者ＩＤ選択部２００２から取得した全てのテキストデータから、キーワード辞書１０２に登録されているキーワードを抽出する。差分キーワード抽出部２００５は、患者ＩＤ選択部２００２から取得した全てのテキストデータから抽出したキーワードの中から、初期キーワードリスト作成部２００４から取得したキーワードリストに存在しないキーワードである差分キーワードを抽出し、差分センテンス記録部２００６に出力する。
【０１０４】
差分センテンス記録部２００６は、患者ＩＤ選択部２００２から取得した全てのテキストデータから、差分キーワード抽出部２００５から取得した差分キーワードが含まれる文章を抽出し、抽出した文章を記録媒体に記録し、抽出した文章と初期文書記録部２００３で記録媒体に記録したテキストデータと合わせてキーワード取得部１０４Ａおよび共起疾病名取得部１０５Ａに出力する。
【０１０５】
以上の処理を行うことにより、初診文書選択部２０１は、読影レポート取得部１０３から、各患者に対して初めて記入された読影レポート２１を取得し、さらに、２回目以降に記入された読影レポート２１の中から、初回に記入された読影レポート２１に含まれない新しい記述部分を初診文書として取得することができる。具体的な処理方法については後述する。
【０１０６】
次に、以上のように構成された医用同義語辞書作成装置２００の動作について説明する。
【０１０７】
（実施の形態２：動作の説明）
図１０は、医用同義語辞書作成装置２００が実行する処理の全体的な流れを示すフローチャートである。図１０において、図４と同じ処理については同じ符号を付し、説明を繰り返さない。また、図１１に同じ患者（患者ＩＤ：１０２２４）に対して異なる時期に診断された読影レポートの一例を示す。この患者は２回の診断を受けており、初期診断の読影レポート４０と、２回目の診断の読影レポート４１とが存在する。以下、図１１の例を用いて、医用同義語辞書作成装置２００が実行する処理の全体的な流れについて説明する。
【０１０８】
ステップＳ１０１の処理の後、初診文書選択部２０１は、読影レポート取得部１０３から取得した読影レポート２１から、経時診断以外の文書を選択し、選択した文書をキーワード取得部１０４Ａに出力する（ステップＳ２０１）。
【０１０９】
経時診断以外の文書の具体的な選択方法としては、初診文書選択部２０１は、例えば、取得した読影レポート２１の中から同一の患者ＩＤ２２を持つ読影レポート２１を抽出し、その中から記入時刻２７が最も古い読影レポート２１を選択する。例えば、初診文書選択部２０１は、図１１の読影レポート４０のみを、経時診断以外の文書として選択すればよい。これにより、簡便に初期診断の文書だけ抽出することが可能になる。
【０１１０】
また、経時診断以外の文書の別の選択方法としては、初診文書選択部２０１は、例えば、取得した読影レポート２１の中から同一の患者ＩＤ２２を持つ読影レポート２１（以下、データＡ）を抽出し、その中から記入時刻２７が最も古い読影レポート２１（以下、データＢ）を、経時診断以外の文書として選択する。初診文書選択部２０１は、さらに、データＡの中からデータＢには存在しないキーワードが出現した文章を、経時診断以外の文書として選択する。
【０１１１】
一人の患者に対して複数回の検査を行った場合、２回目以降の検査においても、新たな所見が加わる場合がある。この場合には、初回以外の検査であっても、初期診断のように疾病名とその診断理由となるキーワードが読影レポート２１に記述される。同義語判定は、用いる文書数が多いほど正確な判定が行える為、初回以外の検査の読影レポート２１からも、初期診断に該当する文書を選択できれば、より正確な同義語辞書を作成できる。
【０１１２】
図１２にステップＳ２０１の処理の詳細なフローチャートの一例を示す。以下、図１２を用いて具体的な文書選択方法について説明する。
【０１１３】
まず初めに、患者ＩＤリスト作成部２００１は、読影レポート取得部１０３から取得した読影レポートの患者ＩＤリストを作成し、作成した患者ＩＤリストを患者ＩＤ選択部２００２に出力する（ステップＳ３０１）。
【０１１４】
次に、患者ＩＤ選択部２００２は、患者ＩＤリスト作成部２００１から取得した患者ＩＤリストの中から１つの患者ＩＤを選択し、選択した患者ＩＤを初期文書記録部２００３に出力する（ステップＳ３０２）。
【０１１５】
次に、初期文書記録部２００３は、患者ＩＤ選択部２００２から取得した患者ＩＤが付与されている読影レポートの中から後述する初期レポートを抽出し、抽出した初期レポートの読影レポートＩＤ２３とテキストデータ（画像所見２５）を記録媒体（図示せず）に記録し、抽出した読影レポートＩＤ２３を初期キーワードリスト作成部２００４に出力する（ステップＳ３０３）。初期レポートとは、図１１の読影レポート４０のように、同一の患者ＩＤが付与されている読影レポートの中で、記入時刻が最も古い読影レポートのことである。具体的な初期レポートの抽出ためには、各読影レポートに付属している記入時刻２７を比較すればよい。
【０１１６】
次に、初期キーワードリスト作成部２００４は、初期文書記録部２００３から取得した患者ＩＤが付与されている読影レポートの中から後述する初期キーワードリストを作成し、作成した初期キーワードリストを差分キーワード抽出部２００５に出力する（ステップＳ３０４）。初期キーワードリストとは、患者ＩＤが付与されている読影レポートの中で、記入時刻が最も古い読影レポートから抽出したキーワードリストである。つまり、初期キーワードリスト作成部２００４は、記入時刻が最も古い読影レポートの画像所見の中から、キーワード辞書１０２に記憶されているキーワードと一致するキーワードを抽出する。図１１の例では、初期キーワードリスト作成部２００４は、読影レポート４０の画像所見からキーワードを抽出し、キーワードリストを作成する。この例では「動脈相」、「濃染」、「平衡相」、「ｗａｓｈｏｕｔ」、「Ａ癌」の各キーワードが抽出される。
【０１１７】
次に、初期文書記録部２００３は、ステップＳ３０２で選択された患者ＩＤが付与された読影レポートの中から１つのレポートを選択して、初期キーワードリスト作成部２００４に出力する（ステップＳ３０５）。具体的には、初期文書記録部２００３は、Ｓ３０２で選択されたのと同一の患者ＩＤの読影レポートを記入時刻の古い順に選択する。図１１の例では、読影レポート４１が選択される。なお、記入時刻が最も古いレポートは、ステップＳ３０３で既に記録済みのため、ステップＳ３０５では選択しなくてもよい。
【０１１８】
次に、初期キーワードリスト作成部２００４は、ステップＳ３０５で選択された読影レポートからキーワードを抽出してリスト化し、差分キーワード抽出部２００５に出力する（ステップＳ３０６）。つまり、初期キーワードリスト作成部２００４は、ステップＳ３０５で選択された読影レポートの画像所見の中から、キーワード辞書１０２に記憶されているキーワードと一致するキーワードを抽出する。図１１の例では、初期キーワードリスト作成部２００４は、読影レポート４１の画像所見からキーワードを抽出し、キーワードリストを作成する。この例では、「Ａ癌」、「平衡相」、「濃染」、「Ｂ癌」の各キーワードが抽出される。
【０１１９】
次に、差分キーワード抽出部２００５は、ステップＳ３０６で作成されたキーワードリストに含まれるキーワードのうち、ステップＳ３０４で作成された初期キーワードリストに含まれないキーワードである差分キーワードを抽出する（ステップＳ３０７）。この時、差分キーワードが存在する場合は（ステップＳ３０８でＹｅｓ）、差分キーワード抽出部２００５は、差分キーワードを差分センテンス記録部２００６に出力し、差分キーワードが存在しない場合は（ステップＳ３０８でＮｏ）、ステップＳ３１０へ進む。
【０１２０】
差分キーワードは、初回の読影レポートとは異なる所見が記入された時に生成される。即ち、差分キーワードの有無により、２回目以降に記入された読影レポートに対しても、初期診断が含まれる文書か否かを判定することができる。
【０１２１】
図１１の例では、差分キーワード４２として「Ｂ癌」が抽出される。
【０１２２】
次に、差分センテンス記録部２００６は、ステップＳ３０５で選択されたレポートＩＤと、そのレポートＩＤの読影レポートの中でステップＳ３０７で抽出された差分キーワードが含まれるセンテンス（文章）とを、初診文書選択部２０１の出力として記録媒体に記録する（ステップＳ３０９）。具体的には、レポートＩＤと該当するセンテンスのテキストデータを記録媒体に記録すればよい。また、レポートＩＤと該当するセンテンスの行番号の組を記録媒体に記録してもよい。図１１の例では、ステップＳ３０８から受け取った差分キーワード４２（Ｂ癌）を含む「新たに平衡相で濃染を認め、Ｂ癌を疑う」のセンテンスが初診文書選択部２０１の出力として記録媒体に記録される。これにより、医用同義語辞書作成装置２００は、初期診断の読影レポート４０に加え、２回目以降の診断の読影レポートの中から経時診断（読影レポート４１の画像所見中の「Ａ癌は変化無し」）以外のテキストを用いて同義語関係を評価することができる。
【０１２３】
次に、初期文書記録部２００３は、ステップＳ３０５で同一患者ＩＤの読影レポートが全て選択されたかを判定し、選択されている場合（ステップＳ３１０でＹｅｓ）はステップＳ３１１へ進み、選択されていな場合（ステップＳ３１０でＮｏ）はステップＳ３０５に戻る。
【０１２４】
最後に、患者ＩＤ選択部２００２は、ステップＳ３０２で全ての患者ＩＤが選択されたか否かを判定し、選択されていない場合（ステップＳ３１１でＮｏ）はステップＳ３０２に戻り、選択されている場合（ステップＳ３１１でＹｅｓ）は、処理を終了する。
【０１２５】
以上のステップＳ３０１からステップＳ３１１の処理を行うことにより、図１０のステップＳ２０１において、初診文書選択部２０１は、読影レポート取得部１０３から取得した読影レポート２１の中から経時診断以外の文書を選択することが可能になる。
【０１２６】
ステップＳ２０１の処理の後、医用同義語辞書作成装置２００は、ステップＳ２０１で選択された文書を用いて、ステップＳ１０２からステップＳ１０８の処理を実行する。
【０１２７】
以上のステップＳ１０１からステップＳ１０８、およびステップＳ２０１の処理を行うことにより、本実施の形態に係る医用同義語辞書作成装置２００は、同じ患者に対して複数回の診断を行った結果の医用文書（読影レポート）が含まれる場合であっても、初期診断に関する記述の医用文書のみを用いて医用同義語辞書を作成することができる。このため、精度の高い医用同義語辞書を作成することが可能になる。
【０１２８】
（実施の形態３）
次に、本発明の実施の形態３に係る医用同義語辞書作成装置３００について説明する。
【０１２９】
図１３に示す本実施の形態の医用同義語辞書作成装置３００は、症例データベース１０１に記憶されている症例データが更新された際に、医用同義語辞書を自動的に更新する特徴を有する。
【０１３０】
上述の実施の形態１に係る医用同義語辞書作成装置１００は、症例データベース１０１が与えられた際に医用同義語辞書を自動的に算出する。ここで、症例データベース１０１には日々の診断の結果が蓄積され、逐次更新される特徴を持つ。医用同義語辞書に存在しないキーワードを含んだ読影レポート２１が、症例データベース１０１に新しく追加された場合、新たに追加されたキーワードに対しては、そのキーワードと同義語となるキーワードが存在するか否かについては決定されていない。このため、この新たに追加されたキーワードを使った汎用性の高い検索を行うことができないという問題が生じる。
【０１３１】
そこで本実施の形態における医用同義語辞書作成装置３００は、症例データベース１０１に記憶されている症例データの更新に応じて、キーワードに関する医用同義語辞書を新たに作成し、記憶部１０９に記憶する。
【０１３２】
これにより、症例データベース１０１に記憶されている症例データが更新された場合であっても、汎用性の高い検索が可能になる。
【０１３３】
以下、初めに図１３を参照しながら、医用同義語辞書作成装置３００の各構成について順に説明する。
【０１３４】
（実施の形態３：構成の説明）
図１３は、本発明の実施の形態３に係る医用同義語辞書作成装置３００の特徴的な機能構成を示すブロック図である。
【０１３５】
図１３において、図１と同じ構成要素については同じ符号を付し、説明を繰り返さない。図１３に示す医用同義語辞書作成装置３００が図１に示す医用同義語辞書作成装置１００と相違する点は、症例データベース１０１から取得した症例から、同義語辞書を更新するか否かを判定する更新制御部３０１を有する点である。
【０１３６】
更新制御部３０１は、症例データベース１０１から取得した医用画像および症例データを用いて、医用同義語辞書を更新するか否かを判定する。ここで、医用同義語辞書を更新すると判定した場合は、更新制御部３０１は、読影レポート取得部１０３、キーワード取得部１０４、共起疾病名取得部１０５、キーワード対選択部１０６、共通疾病名文書抽出部１０７、同義語判定部１０８および出力部１１０を動作させ、医用同義語辞書に含まれる同義語を更新する。一方、医用同義語辞書を更新しないと判定した場合には、更新制御部３０１は、医用同義語辞書に含まれる同義語を更新しない。医用同義語辞書を更新するか否かの具体的な判定方法については後述する。
【０１３７】
次に、以上のように構成された医用同義語辞書作成装置３００の動作について説明する。
【０１３８】
（実施の形態３：動作の説明）
図１４は、医用同義語辞書作成装置３００が実行する処理の全体的な流れを示すフローチャートである。図１４において、図４と同じ処理については同じ符号を付し、説明を繰り返さない。
【０１３９】
更新制御部３０１は、症例データベース１０１から取得した症例データを用いて、同義語辞書を更新するか否かを判定する。ここで、医用同義語辞書を更新すると判定した場合は、ステップＳ１０１へ進む。一方、医用同義語辞書を更新しないと判定した場合には、処理を終了する（ステップＳ４０１）。
【０１４０】
具体的には、更新制御部３０１は、症例データベース１０１に記憶されている症例データが追加、削除または変更されることにより、症例データが更新された場合に、医用同義語辞書を更新すると判定し、症例データが更新されていない場合に、医用同義語辞書を更新しないと判定する。
【０１４１】
更新制御部３０１は、症例データが更新された場合に、全てのキーワードについて医用同義語辞書を更新しても良いし、症例データベース１０１に記憶されている全症例データにおける各キーワードの出現頻度をカウントし、出現頻度が閾値以下のキーワードに対してのみ、医用同義語辞書を更新してもよい。症例データベース１０１内に含まれるキーワードの出現頻度が十分に大きければ、既に十分な数のデータを用いて同義語関係が評価されたことになる。このような高頻度のキーワードが新しく追加された場合は、仮にキーワードベクトル間のコサイン距離の再計算を行ったとしても値は大きく変化しないため、医用同義語辞書の更新を行う必要性が低い。一方、出現頻度が少ないキーワードに対しては、同義語関係の不確実性が高いため、医用同義語辞書を更新する必要性が高い。このように、症例データベース内のキーワード頻度に応じて医用同義語辞書の更新の可否を判定することにより、更新時の計算量を低減できるため、更新時間を短縮することができる。
【０１４２】
以上のように、本実施の形態に係る医用同義語辞書作成装置３００は、症例データベース１０１に記憶されている症例データが更新された場合であっても、医用同義語辞書を自動的に更新することができるため、より汎用性の高い医用同義語辞書を用いた検索が可能になる。
【０１４３】
以上、本発明に係る医用同義語辞書作成装置について、実施の形態に基づいて説明したが、本発明は、これらの実施の形態に限定されるものではない。本発明の趣旨を逸脱しない限り、当業者が思いつく各種変形を本実施の形態に施したもの、異なる実施の形態における構成要素を組み合わせて構築される形態なども、本発明の範囲内に含まれる。
【０１４４】
例えば、図５に示すキーワードと疾病名の共起関係を示すデータでは、着目キーワードと着目疾病名とが共起する読影レポート２１が１つでもあれば該当する欄に○印を付している。しかし、共起関係を求める際にキーワードが誤って抽出される場合、または読影者による読影レポート２１の入力ミスにより誤った疾病名が読影レポート２１に記載されてしまう場合がある。このため、本来共起しないはずのキーワードと疾病名とが、誤ったキーワードまたは誤った疾病名によって共起していると判断され、誤った読影レポート２１が共通疾病名文書抽出部１０７により抽出される場合がある。このため、誤った読影レポート２１を用いて同義語判定が行われてしまい、同義語判定の精度が低下する場合がある。これを防止するために、着目キーワードと着目疾病名とが共起しているか否かを判定するための判定閾値を設定し、着目キーワードと着目疾病名とが共起する読影レポート２１の数が所定閾値以上の場合にのみ、着目キーワードと着目疾病名とが共起すると判断し、図５に示すデータの該当箇所に○印を付し、上記数が所定閾値未満の場合には、上記データに×印を付すようにしても良い。これにより、同義語判定の精度が向上する。なお、上記数が１以上かつ所定閾値未満の着目キーワードと着目疾病名との組み合わせについては、その着目キーワードおよびその着目疾病名が共起する読影レポート２１をユーザに提示し、その着目キーワードおよびその着目疾病名が共起しているのか共起していないのかをユーザに判断させるようにしても良い。
【０１４５】
また、実施の形態１または実施の形態２で作成され記憶部１０９に記憶された医用同義語辞書は、診断の支援に用いたり、医用情報の検索に用いたりすることができる。例えば、図１５に示すように、医用同義語辞書データベース４０１と、診断支援装置４０２または検索装置４０３とをインターネット等のネットワーク４０４を介して接続しても良い。医用同義語辞書データベース４０１には、記憶部１０９に記憶されたのと同じ医用同義語辞書が記憶されている。診断支援装置４０２は、医用同義語辞書データベース４０１に記憶されている医用同義語辞書を参照することにより、読影項目または疾病名の同義語も含めて診断支援を行う。また、検索装置４０３は、医用同義語辞書データベース４０１に記憶されている医用同義語辞書を参照することにより、読影項目または疾病名の同義語も含めて類似症例の検索を行う。
【０１４６】
また、上記の各実施の形態の医用同義語辞書作成装置は、コンピュータシステムによる構成されていても良い。
【０１４７】
図１６は、医用同義語辞書作成装置を実現するコンピュータシステムのハードウェア構成を示すブロック図である。
【０１４８】
医用同義語辞書作成装置は、コンピュータ３４と、コンピュータ３４に指示を与えるためのキーボード３６およびマウス３８と、コンピュータ３４の演算結果等の情報を提示するためのディスプレイ３２と、コンピュータ３４で実行されるプログラムを読み取るためのＣＤ−ＲＯＭ（Ｃｏｍｐａｃｔ  Ｄｉｓｃ−Ｒｅａｄ  Ｏｎｌｙ  Ｍｅｍｏｒｙ）装置４３および通信モデム（図示せず）とを含む。
【０１４９】
医用同義語辞書作成装置が行う処理であるプログラムは、コンピュータで読取可能な記録媒体であるＣＤ−ＲＯＭ４５に記憶され、ＣＤ−ＲＯＭ装置４３で読み取られる。または、コンピュータネットワークを通じて通信モデム５２で読み取られる。プログラムは、所定の機能を達成するために、コンピュータに対する指令を示す命令コードが複数個組み合わされて構成されたものである。
【０１５０】
コンピュータ３４は、ＣＰＵ（Ｃｅｎｔｒａｌ  Ｐｒｏｃｅｓｓｉｎｇ  Ｕｎｉｔ）４４と、ＲＯＭ（Ｒｅａｄ  Ｏｎｌｙ  Ｍｅｍｏｒｙ）４６と、ＲＡＭ（Ｒａｎｄｏｍ  Ａｃｃｅｓｓ  Ｍｅｍｏｒｙ）４８と、ハードディスク５０と、通信モデム５２と、バス５４とを含む。
【０１５１】
ＣＰＵ４４は、ＣＤ−ＲＯＭ装置４３または通信モデム５２を介して読み取られたプログラムを実行する。ＲＯＭ４６は、コンピュータ３４の動作に必要なプログラムやデータを記憶する。ＲＡＭ４８は、プログラム実行時のパラメータなどのデータを記憶する。ハードディスク５０は、プログラムやデータなどを記憶する。通信モデム５２は、コンピュータネットワークを介して他のコンピュータとの通信を行う。バス５４は、ＣＰＵ４４、ＲＯＭ４６、ＲＡＭ４８、ハードディスク５０、通信モデム５２、ディスプレイ３２、キーボード３６、マウス３８およびＣＤ−ＲＯＭ装置４３を相互に接続する。
【０１５２】
さらに、上記の医用同義語辞書作成装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１５３】
さらにまた、上記の医用同義語辞書作成装置を構成する構成要素の一部または全部は、医用同義語辞書作成装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【０１５４】
また、本発明は、上記に示す方法であるとしても良い。また、これらの方法をコンピュータにより実現するコンピュータプログラムであるとしても良いし、前記コンピュータプログラムからなるデジタル信号であるとしても良い。
【０１５５】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ（登録商標））、半導体メモリなどに記録したものとしても良い。また、これらの非一時的な記録媒体に記録されている上記デジタル信号であるとしても良い。
【０１５６】
また、本発明は、上記コンピュータプログラムまたは上記デジタル信号を、電気通信回線、無線または有線通信回線、インターネットを代表とするネットワーク、データ放送等を経由して伝送するものとしても良い。
【０１５７】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０１５８】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【産業上の利用可能性】
【０１５９】
本発明は、医用文書における医用同義語辞書作成装置等として利用可能である。
【符号の説明】
【０１６０】
２０  医用画像
２１、４０、４１  読影レポート
２２  患者ＩＤ
２３  読影レポートＩＤ
２４  画像ＩＤ
２５  画像所見
２６  確定診断結果
２７  記入時刻
２８  検査項目
３０  キーワード名
３１  キーワード属性
３２  ディスプレイ
３４  コンピュータ
３６  キーボード
３８  マウス
４２  差分キーワード
４３  ＣＤ−ＲＯＭ装置
４４  ＣＰＵ
４５  ＣＤ−ＲＯＭ
４６  ＲＯＭ
４８  ＲＡＭ
５０  ハードディスク
５２  通信モデム
５４  バス
１００、２００、３００  医用同義語辞書作成装置
１０１  症例データベース
１０２  キーワード辞書
１０３  読影レポート取得部
１０４、１０４Ａ  キーワード取得部
１０５、１０５Ａ  共起疾病名取得部
１０６  キーワード対選択部
１０７  共通疾病名文書抽出部
１０８  同義語判定部
１０９  記憶部
１１０  出力部
１１１  表示装置
２０１  初診文書選択部
３０１  更新制御部
４０１  医用同義語辞書データベース
４０２  診断支援装置
４０３  検索装置
４０４  ネットワーク
２００１  患者ＩＤリスト作成部
２００２  患者ＩＤ選択部
２００３  初期文書記録部
２００４  初期キーワードリスト作成部
２００５  差分キーワード抽出部
２００６  差分センテンス記録部
【図１】
2013109597.tif 000003
【図３】
2013109597.tif 000004
【図４】
2013109597.tif 000005
【図５】
2013109597.tif 000006
【図６】
2013109597.tif 000007
【図７】
2013109597.tif 000008
【図８】
2013109597.tif 000009
【図９】
2013109597.tif 000010
【図１０】
2013109597.tif 000011
【図１１】
2013109597.tif 000012
【図１２】
2013109597.tif 000013
【図１３】
2013109597.tif 000014
【図１４】
2013109597.tif 000015
【図１５】
2013109597.tif 000016
【図１６】
2013109597.tif 000017
【図２】
2013109597.tif 000018